(57)【要約】【課題】ポンプを感度良く駆動させることができるソーラーシステムの提供。【解決手段】ソーラーパネル１が、熱交換管部１１に太陽熱を伝える集熱板９を備えたものからなり、該ソーラーパネル１の集熱板９の温度を検知する温度センサー１３が備えられ、温度センサー１３からの検知信号に基づいて、ポンプ２の駆動が制御されるようになされている。ソーラーパネル１は、集熱板９の太陽光に面する側に、シリカエアロゲルからなる透明断熱材１０が設けられているものであるとよい。【選択図】      図１
2008309456.tif 000002
【特許請求の範囲】
【請求項１】
液を通過させる熱交換管部が備えられ、該熱交換管部を通過する液を、受けた太陽熱で加温するソーラーパネルと、該ソーラーパネルの熱交換管部内に液を通過させるポンプとが備えられたソーラーシステムにおいて、
前記ソーラーパネルが、熱交換管部に太陽熱を伝える集熱板を備えたものからなり、
該ソーラーパネルの集熱板の温度を検知する温度センサーと、
該温度センサーからの検知信号に基づいて、ポンプの駆動を制御する制御手段と
が備えられていることを特徴とするソーラーシステム。
【請求項２】
前記ソーラーパネルが、集熱板の太陽光に面する側に、太陽光を透過させると共に、集熱板に集熱された太陽熱の放熱を阻止する透明断熱材が設けられている請求項１に記載のソーラーシステム。
【発明の詳細な説明】
【技術分野】
【０００１】
本発明は、ソーラーシステムに関する。
【背景技術】
【０００２】
液を通過させる熱交換管部が備えられ、該熱交換管部を通過する液を、受けた太陽熱で加温するソーラーパネルと、該ソーラーパネルの熱交換管部内に液を通過させるポンプとが備えられ、ソーラーパネルの熱交換管部内の液の温度をセンサーで検知し、その温度センサーからの検知信号に基づいて、ポンプの駆動を制御するようになされたソーラーシステムは、従来より提供されている。
【特許文献１】特開２０００−３５６４１８号公報
【発明の開示】
【発明が解決しようとする課題】
【０００３】
しかしながら、上記のようなソーラーシステムでは、ソーラーパネルの熱交換管部内の液の温度を検知してポンプの駆動を制御するものであるため、ソーラーパネルが太陽光を受け始めてからしばらくしないとポンプの駆動が開始されず、ポンプが感度良く駆動されないという問題がある。
【０００４】
特に、ソーラーパネルが、熱交換管部の付けられる太陽熱集熱板の太陽光に面する側に、太陽光を透過させると共に、集熱板に集熱された太陽熱の放熱を阻止する透明断熱材を設けた高効率のソーラーパネルからなる場合は、集熱板と透明断熱材との組み合わせ作用によって、ソーラーパネルが太陽熱を受けると集熱板が即時的に高温状態になってしまうにもかかわらず、ポンプはそれに応じで感度良く駆動されないという問題が顕著に現れる。このようなポンプの駆動開始の遅れは、効率の良い熱回収を妨げると共に、ソーラーパネル内での液の不本意な沸騰を招いてしまうことにもなる。
【０００５】
本発明は、上記のような問題点に鑑み、ポンプを感度良く駆動させることができるソーラーシステムを提供することを課題とする。
【課題を解決するための手段】
【０００６】
上記の課題は、液を通過させる熱交換管部が備えられ、該熱交換管部を通過する液を、受けた太陽熱で加温するソーラーパネルと、該ソーラーパネルの熱交換管部内に液を通過させるポンプとが備えられたソーラーシステムにおいて、
前記ソーラーパネルが、熱交換管部に太陽熱を伝える集熱板を備えたものからなり、
該ソーラーパネルの集熱板の温度を検知する温度センサーと、
該温度センサーからの検知信号に基づいて、ポンプの駆動を制御する制御手段と
が備えられていることを特徴とするソーラーシステムによって解決される。
【０００７】
このソーラーシステムでは、温度センサーが集熱板の温度を検知するようになされているので、ソーラーパネルが太陽を受け、集熱板が昇温すると、ポンプの駆動が開始し、太陽光を受けてポンプが駆動を開始するまでの時間を短縮することができて、ポンプを感度良く駆動させることができる。
【０００８】
第１発明において、前記ソーラーパネルが、集熱板の太陽光に面する側に、太陽光を透過させると共に、集熱板に集熱された太陽熱の放熱を阻止する透明断熱材が設けられているとよい（第２発明）。
【０００９】
この場合は、集熱板と透明断熱材との組み合わせ作用によって、ソーラーパネルが太陽熱を受けると集熱板が即時的に高温状態になってしまうが、それを温度センサーが検知して、そのような高効率ソーラーパネルを採用するソーラーシステムにおいて、ポンプを感度良く駆動させることができる。
【発明の効果】
【００１０】
本発明のソーラーシステムは、以上のとおりのものであるから、ポンプを感度良く駆動することができる。
【発明を実施するための最良の形態】
【００１１】
次に、本発明の実施最良形態を図面に基づいて説明する。図１（イ）に示す実施形態のソーラーシステムは、給湯用に構成されたもので、ソーラーパネル１と、ポンプ２と、貯湯側熱交換部３とが、液循環配管４に介設され、ポンプ２を駆動することで、貯湯槽５内の水が太陽熱で沸き上げられるようになされている。６は給水管である。
【００１２】
ソーラーパネル１は、複数の単位ソーラーパネル１ａ…を備え、そのうちの複数を互いに直列に接続し、直列に接続した複数組を互いに並列に接続したものからなっていて、すべてを直列にした場合よりも液の通過流量が大きくなり、すべてを並列にした場合よりも液の通過流量が小さくなるよう流量調整された接続構成のものからなっている。
【００１３】
また、各単位ソーラーパネル１ａ…はそれぞれ、図１（ロ）に示すように、銅板７の表面側に選択吸収膜８を設けて構成された集熱板９における銅板７の裏面部に、断面長円状の銅管からなる熱交換管部１１の平坦部を接触状態にしてハンダ付けで接合一体化し、更に、集熱板９の選択吸収膜８の表面側にシリカエアロゲルからなる透明断熱材１０を設けた高効率ソーラーパネルからなっている。なお、１２は、熱交換管部１１の周囲をカバーする断熱材である。
【００１４】
そして、図１（イ）に示すように、いずれかの単位ソーラーパネル１ａの集熱板９の銅板７の面部に第１温度センサー１３が付けられると共に、貯湯槽５内において、貯湯側熱交換部３の付近に位置して第２温度センサー１４が設置され、制御手段としての差温リレー１５が、これら温度センサー１３，１４からの検知信号に基づいてポンプ２の駆動を制御するようになされている。
【００１５】
上記のソーラーシステムでは、貯湯槽５内の熱交換部３付近の温度が低い状態で、ソーラーパネル１が太陽光を受け、集熱板９が昇温すると、それを第１温度センサー１３が検知し、差温リレー１５が働いて、ポンプ２の駆動が開始し、それによって、太陽光を受けてポンプ２が駆動を開始するまでの時間を短縮することができて、ポンプ２を感度良く駆動させることができる。
【００１６】
特に、本実施形態では、ソーラーパネル１は、集熱板９の太陽光に面する側に透明断熱材１０が設けられた高効率のソーラーパネルからなるが、太陽光を受けて即時的に高温状態になってしまう銅板７を第１温度センサー１３が検知するようにしているので、そのような高効率ソーラーパネル１を採用するソーラーシステムにおいて、ポンプ２を感度良く駆動させることができる。
【００１７】
以上に、本発明の実施形態を示したが、本発明はこれに限られるものではなく、発明思想を逸脱しない範囲で各種の変更が可能である。例えば、上記の実施形態では、本発明をソーラー給湯システムに適用した場合を示したが、本発明は、給湯のほか、ロードヒーティング用ソーラー給湯システムなど、各種のソーラーシステムに適用することができるものである。
【図面の簡単な説明】
【００１８】
【図１】図（イ）は実施形態のソーラーシステムを示す説明図、図（ロ）はソーラーパネルを構成する単位ソーラーパネルの断面図である。
【符号の説明】
【００１９】
１…ソーラーパネル
２…ポンプ
９…集熱板
１０…透明断熱材
１１…熱交換管部
１３…第１温度センサー（温度センサー）
１５…差温リレー（制御手段）
【図１】
2008309456.tif 000003